(57)【要約】【課題】防水パンを安定よく支持できると共に各種施工現場の設置高さに対応させることが容易にできるようにする。【解決手段】防水パン２０の脚部構造１０は、スリーブ３０が、ボス部２１のテーパ孔２１ａにテーパ嵌合し、横断面形状が上下方向の軸心に沿って同一のストレート嵌合孔５２の有る第１スリーブ５０と、横断面外形状が脚先部４０の雄ねじ部４０ａの外径より大きく且つ上下方向の軸心に沿って同一である金属製のストレートパイプから成形され、第１スリーブ５０のストレート嵌合孔５２に嵌合したストレート嵌入部６２、ストレート嵌入部６２から下方へ突出したストレート延長部６３及びストレート延長部６３の下端側に設けた雌ねじ部６４を有する第２スリーブ３０とからなり、脚先部４０が、第２スリーブ６０の雌ねじ部６４に雄ねじ部４０ａを高さ調節可能に螺着した。【選択図】図１
2008248552.tif 000002
【特許請求の範囲】
【請求項１】
合成樹脂製の防水パンの裏面側に設けたテーパ孔の有るボス部と、ボス部のテーパ孔にテーパ嵌合したスリーブと、スリーブの下端側に高さ調節可能に螺着した雄ねじ部を有する脚先部とを備えた防水パンの脚部構造において、前記スリーブは、前記ボス部のテーパ孔にテーパ嵌合し、横断面形状が上下方向の軸心に沿って同一のストレート嵌合孔の有る第１スリーブと、横断面外形状が前記脚先部の雄ねじ部の外径より大きく且つ上下方向の軸心に沿って同一である金属製のストレートパイプから成形され、第１スリーブのストレート嵌合孔に水平方向へガタ付きを生じさせない嵌合状態で嵌入したストレート嵌入部、該ストレート嵌入部から下方へ突出したストレート延長部及び該ストレート延長部の下端側に設けた雌ねじ部を有する第２スリーブとからなり、前記脚先部は、該第２スリーブの雌ねじ部に雄ねじ部を高さ調節可能に螺着したことを特徴とする防水パンの脚部構造。
【請求項２】
前記第１スリーブは、合成樹脂素材から成型され、嵌入方向に沿って少なくとも二つ割りとした分割部を合わせた状態で、前記防水パンのボス部にテーパ嵌合した請求項１記載の防水パンの脚部構造。
【請求項３】
前記第２スリーブの延長部に、浴槽支持用部材を接合した請求項１又は２に記載の防水パンの脚部構造。
【発明の詳細な説明】
【技術分野】
【０００１】
本発明は、施工床面から防水パンまでの設置高さを高くすることが可能な防水パンの脚部構造に関する。
【背景技術】
【０００２】
従来の防水パンの脚部構造は、防水パンの下面側に形成したテーパ孔に、脚部材の上端側に形成した雄テーパをテーパ嵌合して、防水パンに脚部材を取付けてある。該脚部材は、テーパ孔にテーパ嵌合する脚本体（スリーブ）と、脚本体に形成した雌ネジに螺着するボルトからなる脚先部とからなる（特許文献１）。
【特許文献１】特開平７−１５８１３９号公報
【発明の開示】
【発明が解決しようとする課題】
【０００３】
ところで、施工床面から防水パンまでの設置高さは、施工現場で相違し低い場合や高い場合がある。従来の脚部構造において高い設置高さに対処するには、長いボルトを用いる必要がある。しかし、従来の脚部構造では、長いボルトを用いると、ボルトが撓み変形し易くなり、床パンに水平方向のガタ付きを生じさせることがある。
【０００４】
本発明は、上記課題を解決するために、防水パンを安定よく支持できると共に各種施工現場の設置高さに対応させることが容易にできる防水パンの脚部構造の提供を目的とする。
【課題を解決するための手段】
【０００５】
防水パンを安定よく支持できると共に各種施工現場の設置高さに対応させることが容易にできるようにするために請求項１記載の本発明が採用した手段は、合成樹脂製の防水パンの裏面側に設けたテーパ孔の有るボス部と、ボス部のテーパ孔にテーパ嵌合したスリーブと、スリーブの下端側に高さ調節可能に螺着した雄ねじ部を有する脚先部とを備えた防水パンの脚部構造において、前記スリーブは、前記ボス部のテーパ孔にテーパ嵌合し、横断面形状が上下方向の軸心に沿って同一のストレート嵌合孔の有る第１スリーブと、横断面外形状が前記脚先部の雄ねじ部の外径より大きく且つ上下方向の軸心に沿って同一である金属製のストレートパイプから成形され、第１スリーブのストレート嵌合孔に水平方向へガタ付きを生じさせない嵌合状態で嵌入したストレート嵌入部、該ストレート嵌入部から下方へ突出したストレート延長部及び該ストレート延長部の下端側に設けた雌ねじ部を有する第２スリーブとからなり、前記脚先部は、該第２スリーブの雌ねじ部に雄ねじ部を高さ調節可能に螺着したことを特徴とする防水パンの脚部構造である。
【０００６】
第１スリーブの成型を容易にするために請求項２記載の本発明が採用した手段は、前記第１スリーブは、合成樹脂素材から成型され、嵌入方向に沿って少なくとも二つ割りとした分割部を合わせた状態で、前記防水パンのボス部にテーパ嵌合した請求項１記載の防水パンの脚部構造である。
【０００７】
浴槽支持用部材の設置を容易にするために請求項３記載の本発明が採用した手段は、前記第２スリーブの延長部に、浴槽支持用部材を接合した請求項１又は２に記載の防水パンの脚部構造である。
【発明の効果】
【０００８】
請求項１記載の本発明に係る防水パンの脚部構造は、第２スリーブのストレート延長部が脚先部の雄ねじ部に比べて撓み変形し難くなるので、第２スリーブのストレート延長部の寸法を長くして防水パンの設置高さを高くしても、脚先部に長いボルトを用いる従来に比べて防水パンの水平方向のガタ付きを少なくできる。又、本発明に係る防水パンの脚部構造は、第２スリーブの金属製ストレートパイプからなる部分を適宜切断して各種施工現場の設置高さに容易に対応させることもできる。
【０００９】
請求項２記載の本発明に係る防水パンの脚部構造は、嵌入方向に沿って少なくとも二つ割りとした分割成型型を用いて、外面がテーパ状で、内側にストレート嵌合孔を容易に形成できる。
【００１０】
請求項３記載の本発明に係る防水パンの脚部構造は、浴槽支持用部材の一端側を第２スリーブの延長部に接合して支持できるので、浴槽支持用部材の一端側に別途脚部を設ける必要がなく、簡単な構造にできる。
【発明を実施するための最良の形態】
【００１１】
本発明に係る防水パンの脚部構造（以下、「本発明構造」という。）について実施の形態を示す図面に基いて説明する。
【００１２】
図１乃至図５は本発明構造の実施の形態を示すものである。図１は本発明構造の主要部を拡大して示す縦断面図である。図２の図（Ａ）は第１スリーブ５０を示す斜視図であり、同図（Ｂ）は第２スリーブ６０及び脚先部４０を示す斜視図である。図３は第１スリーブ５０を分解して示した分解斜視図である。図４の図（Ａ）は本発明構造を用いた浴室を示す正面図であり、同図（Ｂ）は第２スリーブ６０及び浴槽支持用部材７０を示した分解斜視図である。図５は防水パン２０の要部を拡大して示すものであって、図（Ａ）は下方から見た斜視図であり、図（Ｂ）は底面図である。
【００１３】
本発明構造１０は、図１に示す如く、合成樹脂製の防水パン２０の裏面側２０ｂに設けたテーパ孔２１ａの有るボス部２１と、ボス部２１のテーパ孔２１ａにテーパ嵌合したスリーブ３０と、スリーブ３０の下端側に高さ調節可能に螺着した雄ねじ部４０ａを有する脚先部４０とを備えている。本発明構造１０は、スリーブ３０を第１スリーブ５０及び第２スリーブ６０で形成すると共に、第２スリーブ６０に脚先部４０を高さ調節可能に螺着したことに特徴がある。
【００１４】
前記第１スリーブ５０は、防水パン２０のボス部２１のテーパ孔２１ａにテーパ嵌合し、横断面形状が上下方向の軸心に沿って同一のストレート嵌合孔５２を開設してある。前記第２スリーブ６０は、横断面外形状が脚先部４０の雄ねじ部４０ａの外径より大きく且つ上下方向の軸心に沿って同一の金属製のストレートパイプから成形され、第１スリーブ５０のストレート嵌合孔５２に嵌合したストレート嵌入部６２、ストレート嵌入部６２から下方へ突出したストレート延長部６３及びストレート延長部６３の下端側に設けた雌ねじ部６４を備えている。第１スリーブ５０は、ストレート嵌合孔５２に、第２スリーブ６０のストレート嵌入部６２を水平方向へガタ付きを生じさせない嵌合状態で嵌入してある。脚先部４０は、第２スリーブ６０の雌ねじ部６４に雄ねじ部４０ａを高さ調節可能に螺着してある。
【００１５】
以下、本発明構造を構成する上記の防水パン２０、第１スリーブ５０、第２スリーブ６０及び脚先部４０について、本発明構造をシステムバスルームに用いた実施の形態に基づいて更に詳細に説明する。
【００１６】
前記防水パン２０は、繊維強化プラスチック（ＦＲＰ）等から成形され、図４（Ａ）に示す如く、本例では洗い場２側に配置して表面２０ａ側（上面側）を洗い場床面とする洗い場側防水パンに適用しているが、必要に応じて浴槽３の下側に配置する浴槽側防水パンに適用することもある。前記防水パン２０は、図５に示す如く、裏面２０ｂ側（下面側）に分散して格子状に設けた細長板状の補強リブ２２，２２…と、防水パン２０の支持箇所に設けられ該補強リブ２２，２２…の間に配置したボス部２１と、該ボス部２１の周りに分散され雌ねじ部用下孔（又は雌ねじ部）２３ａを下端に設けた連結用ボス部２３，２３…とを備える。該ボス部２１は、図１に示す如く、下方へ先細り形状（本例では図５（Ｂ）の如く方錐台形状）になっており、下端中心に下から上へ縮径したテーパ孔２１ａ（本例では図５（Ｂ）の如く角孔）が開設されているので、ＳＭＣ等をプレス成型して形成し易くなっている。
【００１７】
前記第１スリーブ５０は、図２（Ａ）に示す如く、上方に設けたテーパ部５１と、該テーパ部５１の下側に設けられ挿通孔５３ａを分散した連結用フランジ部５３と、該連結用フランジ部５３から下方に突設して側方に挿通孔５４ａを開設した連結用突出部５４とを一体に備え、連結用突出部５４、連結用フランジ部５３及びテーパ部５１の内側に穿設され下端が開口したストレート嵌合孔５２を形成している。該テーパ部５１は、図１に示す如く、外側面５１ａが、前記ボス部２１のテーパ孔２１ａと実質的に同一勾配で上へ縮径した先細り形状（本例ではテーパ孔２１ａに対応させるために方錐台形状）に形成されて、テーパ孔２１ａに密着して水平方向へガタ付きなくテーパ嵌合するようになっている。
【００１８】
前記第１スリーブ５０は、本例ではＡＢＳ樹脂，ポリアミド樹脂等の合成樹脂素材から成型され、図２（Ａ）及び図３に示す如く、嵌入方向（上下方向）に沿って二つ割りとした分割部５５，５５を合わせた状態で、防水パン２０のボス部２１にテーパ嵌合できるようにしてあるので、嵌入方向に沿って二つ割りとした分割成型型（図示省略）を用いて、外側５１ａを先細り状（テーパ状）にしたテーパ部５１、ストレート嵌合孔５２、連結用フランジ部５３及び連結用突出部５４を容易に形成できる。第１スリーブ５０は、製造工場でタッピングビス等の連結具５６，５６…を連結用フランジ部５３の挿通孔５３ａ，５３ａ…に挿通して前記防水パン２０の連結用ボス部２３，２３…の雌ねじ部下孔（又は雌ねじ部）２３ａ，２３ａ…に確実に螺着して防水パン２０に連結してから出荷できるので、施工現場において不慣れな作業者による連結具５６の締め過ぎで連結用ボス部２３を破損させる恐れが無いようにしてある。本例の第１スリーブ５０は、分割部５５，５５どうしを隙間無く密着させることで、ストレート嵌合孔５２に、第２スリーブ６０のストレート嵌入部６２をガタ付きを生じさせない嵌め合いで嵌入できる。
【００１９】
前記第２スリーブ６０は、鋼、ステンレススチール等の金属製で肉厚が１．６〜３．２ｍｍ程度のストレートパイプからなる主体部６１と、主体部６１の下端に溶接又は嵌着等して設けた雌ねじ部６４付き底板６６とからなり、主体部６１の開口６１ａした上端から適宜長さ位置で横断方向に適宜切断して、各種施工現場の設置高さに対応させることが容易にできるようにしてある。第２スリーブ６０の主体部６１は、本例ではストレートパイプとして４０×４０ｍｍ程度の角パイプを採用して、第１スリーブ５０のストレート嵌合孔５２を該角パイプに対応する角孔としてあるが、これ以外に、直径が２５〜４０ｍｍ程度の丸パイプを採用し第１スリーブ５０のストレート嵌合孔５２を該丸パイプに対応する丸孔にしてもよい。前記雌ねじ部６４は、本例では底板６６の下面側に溶接した金属製の六角ナットからなる。なお、第２スリーブ６０は、主体部６１の下端側を絞る等して小径部を形成し、小径部に雌ねじ部６４を形成することもある。第２スリーブ６０は、横断面外形状が脚先部４０の雄ねじ部４０ａの外径より大きく且つ上下方向の軸心に沿って同一である金属製ストレートパイプから主体部６１が成形されているので、主体部６１のストレート延長部６３の曲げ剛性を脚先部４０の雄ねじ部４０ａに比べて大きくできる。
【００２０】
前記第１スリーブ５０と第２スリーブ６０とは、別々に分けて出荷し、施工現場において第２スリーブ６０の主体部６１を適宜長さに切断した後に、第１スリーブ５０の連結用突出部５４の挿通孔５４ａ，５４ａに対応するように第２スリーブ６０のストレート嵌入部６２の側面側に下孔６２ａ，６２ａを設け、タッピングビスからなる連結具６５を各挿通孔５４ａへ挿通して下孔６２ａに螺着して、両者を連結することができる。第２スリーブ６０は、上端が第１スリーブ５０のストレート嵌合孔５２の天井面５２ｂに当接して第１スリーブ５０を支持するので、防水パン２０の荷重を雌ねじ部６２ａ、連結具６５及び連結用突出部５４に集中させることなく、安定した脚構造を得ることができる。
【００２１】
本発明構造１０は、図４（Ａ）中の中央側及び図４（Ｂ）に示す如く、第２スリーブ６０のストレート延長部６３に、浴槽３を支持する浴槽支持用部材７０を接合することもある。浴槽用支持部材７０は、浴槽３を載置する角パイプ等からなる複数（例えば２つ）の台座部７２と、各台座部７２の他端側を支持する高さ調節可能な脚部７１とを備え、必要に応じて台座部７２どうしを角パイプ等からなる連結部７４で連結している。本発明構造１０は、ストレート延長部６３に一対の連結片６７，６７を溶接するなどして取り付けてあり、施工現場にて、一対の連結片６７，６７の間に浴槽支持用部材７０の台座部７２の一端側を挿着させると共に、連結片６７，６７及び台座部７２の挿通孔６７ａ，６７ａ，７２ａに挿通したボルト７３（図（Ａ）参照）にナット（図示略）を緊締して、浴槽支持用部材７０の台座部７２をストレート延長部６３に接合するようにしてある。本発明構造１０は、浴槽支持用部材７０の台座部７２の一端側を第２スリーブ６０で支持できるので、台座部７２の一端側に別途脚部７１を設ける必要がなく、簡単な構造にできる。
【００２２】
前記脚先部４０は、本例では、Ｍ１６等の六角ボルトを採用しており、第２スリーブ６０の雌ねじ部６４に雄ねじ部４０ａが高さ調節可能に螺着され、頭部４０ｂが床面１や図示は省略するが土台や吊架台等に当接される。
【図面の簡単な説明】
【００２３】
【図１】本発明構造の実施の形態を示すものであって、本発明構造の主要部を拡大して示す縦断面図である。
【図２】同実施の形態において、図（Ａ）は第１スリーブを示す斜視図であり、図（Ｂ）は第２スリーブ及び脚先部を示す斜視図である。
【図３】同実施の形態において、第１スリーブを分解して示した分解斜視図である。
【図４】図（Ａ）は本発明構造を用いた浴室を示す正面図であり、図（Ｂ）は第２スリーブ及び浴槽支持用部材を示した分解斜視図である。
【図５】同実施の形態において、防水パンの要部を拡大して示すものであって、図（Ａ）は下方から見た斜視図であり、図（Ｂ）は底面図である。
【符号の説明】
【００２４】
１０…本発明構造（防水パンの脚部構造）  ２０…防水パン  ２０ｂ…裏面・下面
２１…ボス部  ２１ａ…テーパ孔  ３０…スリーブ  ５０…第１スリーブ  
５１…テーパ部  ５２…ストレート嵌合孔  ６０…第２スリーブ  
６２…ストレート嵌入部  ６３…ストレート延長部  ６４…雌ねじ部  ４０…脚先部  
４０ａ…雄ねじ部
【図１】
2008248552.tif 000003
【図２】
2008248552.tif 000004
【図３】
2008248552.tif 000005
【図４】
2008248552.tif 000006
【図５】
2008248552.tif 000007